(57)【要約】【課題】キャッププレートと電極群を離隔させて電極群の上昇を防止して、安全性を向上させることが可能な２次電池を提供する。【解決手段】正極、負極、及び該正極と該負極との間に配置されたセパレータを含む電極群と、前記電極群が内蔵されるケースと、前記ケースの開口に結合されるキャッププレート、及び該キャッププレートに設置され、ガスが排出されるベント部材を含むキャップ組立体と、前記電極群と前記キャッププレートとの間に設置され、前記電極群の上昇を防止する離隔部材とを備える。【選択図】図２
2011086604.tif 000002
【特許請求の範囲】
【請求項１】
正極、負極、及び該正極と該負極との間に配置されたセパレータを含む電極群と；
前記電極群が内蔵されるケースと；
前記ケースの開口に結合されるキャッププレートと、該キャッププレートに設置され、ガスが排出されるベント部材とを含むキャップ組立体と；
前記電極群と前記キャッププレートとの間に設置され、前記電極群の上昇を防止する離隔部材と；
を備える、２次電池。
【請求項２】
前記離隔部材は、前記ベント部材の下に設置された遮断板と、該遮断板と前記キャップ組立体に固定され、該遮断板の上に突出して該遮断板を前記キャッププレートから離隔させる支持板とを含む、請求項１に記載の２次電池。
【請求項３】
前記遮断板は、前記電極群の上端と相接するように設置される、請求項２に記載の２次電池。
【請求項４】
前記遮断板は、前記キャッププレートと平行に配置される、請求項２に記載の２次電池。
【請求項５】
前記遮断板は、前記キャッププレートの長さ方向に連結されて幅方向と長さ方向を有し、
二つの前記支持板が、前記遮断板の幅方向の両端で互いに平行するように付着される、請求項２に記載の２次電池。
【請求項６】
前記遮断板は、前記キャッププレートに形成された電解液注入口の下に位置する回避溝を有する、請求項２に記載の２次電池。
【請求項７】
前記遮断板は多孔性材質からなる、請求項２に記載の２次電池。
【請求項８】
前記支持板は、前記キャッププレートの下面と接するように設置される、請求項２に記載の２次電池。
【請求項９】
前記キャップ組立体は、外部に露出した端子と、該端子の下部に固定された下部ガスケットとを含み、
前記離隔部材は前記下部ガスケットに付着される、請求項１に記載の２次電池。
【請求項１０】
前記キャップ組立体は、外部に露出した端子と、該端子の下部に固定された下部ガスケットとを含み、
前記離隔部材は前記下部ガスケットと一体に形成される、請求項１に記載の２次電池。
【請求項１１】
前記キャップ組立体は外部に露出した二つの端子を含み、該端子のそれぞれには下部ガスケットが固定設置され、
前記離隔部材は二つの下部ガスケットの間に位置し、該下部ガスケットと一体に形成される、請求項１に記載の２次電池。
【請求項１２】
前記離隔部材は棒状であり、該離隔部材の中央は側端より厚さが厚く形成される、請求項１に記載の２次電池。
【請求項１３】
前記離隔部材には、前記ベント部材の下に位置する部分に曲がったベント回避部が形成される、請求項１２に記載の２次電池。
【請求項１４】
前記離隔部材には、前記電解液注入口と対応する部分に曲がった電解液回避部が形成される、請求項１２に記載の２次電池。
【請求項１５】
前記離隔部材は、前記ベント部材の下に位置する遮断板と、該遮断板の両端に固定された支持板とを含み、
該支持板は、前記遮断板に向かって曲がって、該遮断板を前記キャッププレートから離隔させる折り曲げ部を有する、請求項１に記載の２次電池。
【発明の詳細な説明】
【技術分野】
【０００１】
本発明は、２次電池に関する。
【背景技術】
【０００２】
２次電池（rechargeable  battery）は、充電が不可能な一次電池とは異なって、充電及び放電が可能な電池である。低容量の２次電池は、携帯電話機やノートパソコン及びカムコーダのように携帯が可能な小型電子機器に使用され、大容量電池は、ハイブリッド自動車などのモータ駆動用電源として幅広く使用されている。
【０００３】
最近、高エネルギー密度の非水電解液を利用した高出力２次電池が開発されており、この高出力２次電池は、大電力を必要とする機器、例えば、電気自動車などのモータ駆動に使用できるように、複数個の２次電池を直列に接続して大容量の２次電池で構成される。
【０００４】
また、一つの大容量２次電池は、通常、直列に接続する複数の２次電池で構成され、２次電池は円筒形と角型などとすることができる。
【０００５】
角型の２次電池は、正極と負極とがセパレータを介在して位置する電極群と、電極群を内蔵する空間を備えたケースと、ケースを密閉し端子が挿入される端子孔が形成されたキャッププレートと、電極群と電気的に接続され端子孔に挿入されてケースの外側に突出する端子とを含む。
【発明の概要】
【発明が解決しようとする課題】
【０００６】
２次電池の内部で過度な熱が発生したり、または電解液が分解されたりして内部圧力が上昇した際、電池の膨張を防止するために、設定された圧力で開放されるベントが設けられる。ベントによってガスが安定的に排出されるためには、ベントと電極群との間に十分な空間を形成しなければならない。しかし、ガスが排出される時、ガスの排出圧力によって電極群がガスと共に上昇して、ベントホールが詰まる問題がある。電極群によってガスが排出できなければ、２次電池内部の圧力が増加して２次電池が膨張する問題がある。
【０００７】
そこで、本発明は、上記問題に鑑みてなされたものであり、本発明の目的とするところは、キャッププレートと電極群を離隔させて電極群の上昇を防止して、安全性を向上させることが可能な、新規かつ改良された２次電池を提供することにある。
【課題を解決するための手段】
【０００８】
上記課題を解決するために、本発明のある観点によれば、正極、負極、及び正極と負極との間に配置されたセパレータを含む電極群と、電極群が内蔵されるケースと、ケースの開口に結合されるキャッププレート、及びキャッププレートに設置され、ガスが排出されるベント部材を含むキャップ組立体と、電極群とキャッププレートとの間に設置され、電極群の上昇を防止する離隔部材とを備える２次電池が提供される。
【０００９】
上記離隔部材は、ベント部材の下に設置された遮断板と、遮断板とキャップ組立体に固定され、遮断板の上に突出して、遮断板をキャッププレートから離隔させる支持板とを含むことができる。また、遮断板は電極群の上端と相接するように設置することができる。
【００１０】
上記遮断板は、キャッププレートと平行に配置することができる。また、遮断板は、キャッププレートの長さ方向に延長されて幅方向と長さ方向を有し、二つの支持板が遮断板の幅方向の両端で互いに平行するように付着できる。
【００１１】
上記遮断板は、キャッププレートに形成された電解液注入口の下に位置する回避溝を有するように形成することができ、遮断板は多孔性材質からなることができる。
【００１２】
上記支持板は、キャッププレートの下面と接するように設置することができ、キャップ組立体は、外部に露出した端子と、端子の下部に固定された下部ガスケットとを含み、離隔部材は下部ガスケットに付着できる。
【００１３】
上記キャップ組立体は、外部に露出した端子と、端子の下部に固定された下部ガスケットをと含み、離隔部材は下部ガスケットと一体に形成することができ、キャップ組立体は外部に露出した二つの端子を含み、端子のそれぞれには下部ガスケットが固定設置され、離隔部材は二つの下部ガスケットの間に位置し、下部ガスケットと一体に形成することができる。
【００１４】
上記キャップ組立体は、外部に露出した端子と、端子の下部に固定された下部ガスケットとを含み、離隔部材の端部には突起が形成され、下部ガスケットには突起が挿入される溝を形成することができ、離隔部材は棒状であり、離隔部材の中央は側端より厚さを厚く形成することができる。
【００１５】
上記離隔部材にはベント部材の下に位置する部分に曲がったベント回避部を形成することができ、離隔部材には電解液注入口と対応する部分に曲がった電解液回避部を形成することができる。
【００１６】
上記離隔部材は、ベント部材の下に位置する遮断板と、遮断板の両端に固定された支持板とを含み、支持板は、遮断板に向かって曲がって、遮断板をキャッププレートから離隔させる折り曲げ部を備えることができる。
【発明の効果】
【００１７】
以上説明したように本発明によれば、キャッププレートと電極群を離隔させて電極群の上昇を防止して、安全性を向上させることができる。
【図面の簡単な説明】
【００１８】
【図１】本発明の第１実施形態による２次電池を示した斜視図である。
【図２】図１におけるＩＩ−ＩＩ線に沿った断面図である。
【図３】本発明の第１実施形態による２次電池の離隔部材を示した斜視図である。
【図４】本発明の第２実施形態による２次電池の離隔部材を示した平面図である。
【図５】本発明の第３実施形態による２次電池の離隔部材を示した斜視図である。
【図６】本発明の第４実施形態による２次電池の離隔部材を示した斜視図である。
【図７】本発明の第５実施形態による２次電池の離隔部材を示した斜視図である。
【図８】本発明の第６実施形態による２次電池の離隔部材を示した斜視図である。
【図９】本発明の第６実施形態による離隔部材がキャップ組立体に設置された状態を下で見た底面図である。
【図１０】本発明の第７実施形態による２次電池の離隔部材を示した斜視図である。
【図１１】本発明の第８実施形態による２次電池の離隔部材を示した斜視図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
図１は、本発明の第１実施形態による２次電池を示した斜視図であり、図２は、図１におけるＩＩ−ＩＩ線に沿った断面図である。
【００２１】
図１及び図２を参照して説明すれば、本第１実施形態による２次電池１００は、正極１１と負極１２との間にセパレータ１３を介在して巻き取られた電極群１０と、電極群１０を内蔵するケース３４と、ケース３４の開口に結合されたキャップ組立体２０とを含む。
【００２２】
本第１実施形態による２次電池１００はリチウムイオン２次電池で、角型のものを例として説明する。ただし、本発明がこれに制限されることではなく、本発明はリチウムポリマー電池または円筒形電池など多様な形態の電池に適用できる。
【００２３】
正極１１及び負極１２は、薄板の金属箔で形成された集電体に活物質が塗布された領域のコーティング部と、活物質がコーティングされない領域の無地部１１ａ、１２ａとを含む。
【００２４】
正極無地部１１ａは、正極１１の長さ方向に沿って正極１１の一側端に形成され、負極無地部１２ａは、負極１２の長さ方向に沿って負極１２の他側端に形成される。そして、正極１１及び負極１２は、絶縁体のセパレータ１３を間に介在して巻き取られる。
【００２５】
ただし、本発明がこれに制限されることではなく、上記電極群１０は、複数個のシート（sheet）からなる正極と負極とがセパレータを介在して積層された構造とすることができる。
【００２６】
ケース３４は、直方体形状であり、一面には開放された開口が形成される。キャップ組立体２０は、ケース３４の開口を覆うキャッププレート３０と、キャッププレート３０の外側に突出し、正極１１と電気的に接続された正極端子２１と、キャッププレート３０の外側に突出し、負極１２と電気的に接続された負極端子２２と、設定された内部圧力により破断するように切欠３９ａが形成されたベント部材３９とを含む。
【００２７】
キャッププレート３０は薄い板からなり、一側に電解液の注入のための電解液注入口２７が形成され、電解液注入口２７を密封する密封キャップ３８がキャッププレート３０に固定設置される。
【００２８】
キャッププレート３０と端子２１、２２との間には上部ガスケット２５が設置されて、キャッププレート３０と端子２１、２２を絶縁させる。本記載で端子２１、２２とは、正極端子２１と負極端子２２をいう。上部ガスケット２５は、端子孔に嵌合されて設置され、二つの部材からなり、一方が端子孔の上部に、他方が端子孔の下部にそれぞれ密着配置される。
【００２９】
端子２１、２２は円柱状であり、端子２１、２２には端子２１、２２を上部で支持するナット２９が設けられ、端子２１、２２の外周にはナット２９が締結されるようにねじ山が形成される。一方、端子２１、２２の下端には下部で端子２１、２２を支持する端子フランジ２１ａ、２２ａが形成される。
【００３０】
端子フランジ２１ａ、２２ａとキャッププレート３０との間には絶縁のための下部ガスケット２６が設置される。端子フランジ２１ａ、２２ａには正極１１または負極１２と電気的に接続されたリード部材３２が溶接で付着し、端子フランジ２１ａ、２２ａ及びリード部材３２は下部ガスケット２６に形成された溝に嵌合される。この時、下部ガスケット２６は端子フランジ２１ａ、２２ａとキャッププレート３０との間に嵌合され、安定的に固定される。
【００３１】
両側に一つずつ位置する二つの下部ガスケット２６の間には、電極群１０がキャッププレート３０から一定の距離をおいて位置するように離隔部材４０が設けられる。
【００３２】
図３は、本発明の第１実施形態による離隔部材４０を示した斜視図である。
【００３３】
図３を参照して説明すれば、第１実施形態による離隔部材４０は、キャッププレート３０と平行に設置された遮断板４３と、遮断板４３の両側端に互いに平行に設置され、離隔部材４０を下部ガスケット２６に固定する支持板４１、４２とを含む。
【００３４】
支持板４１、４２は、遮断板４３の側端で遮断板４３に対して垂直に立てられて設置され、長さ方向の両端が下部ガスケット２６に付着される。支持板４１、４２は、遮断板４３よりキャッププレート３０側にさらに突出して、遮断板４３をキャッププレート３０から離隔させる役割を果たす。
【００３５】
支持板４１、４２の間の側端は開放されており、そのために支持板４１、４２の間を通じてガスが移動できる。また、支持板４１、４２の間の下端には遮断板４３が形成されない部分があって、この部分を通じて下でガスが移動できる。
【００３６】
遮断板４３は回避溝４３ａを有し、回避溝４３ａは電解液注入口２７の下に形成されて電解液が２次電池の内部に容易に流入できる。また、ベント部材３９の下には遮断板４３が位置している。
【００３７】
このようにキャッププレート３０と電極群１０との間に離隔部材４０を設置すれば、電極群１０が上昇して、キャッププレート３０と電極群１０との間の空間が減少することを防止できるだけでなく、ベント部材３９が開放される時、ガスが排出される通路を容易に確保できる。ガスは、遮断板４３と支持板４１、４２が形成する空間を通して自由に排出できる。
【００３８】
また、離隔部材４０が下部ガスケット２６に固定されるので、離隔部材４０を容易にキャップ組立体２０に固定設置でき、ガスが排出される時、電解液などの不純物が外部に流出することを防止することができる。
【００３９】
また、支持板４１、４２の上端はキャッププレート３０の下面と相接するように設置され、遮断板４３は下に位置する電極群１０と相接するように設置される。これにより、支持板４１、４２はベント部材３９が開放される時、電極群１０の上昇圧力に対して安定的に抵抗して電極群１０が上昇することを防止し、遮断板４３は外部の衝撃などで電極群１０が振動することを防止する。
【００４０】
図４は、本発明の第２実施形態による２次電池の離隔部材５０を示した平面図である。
【００４１】
本第２実施形態による２次電池は、離隔部材５０の構成を除いては上記第１実施形態による２次電池と同一の構成であるので、同一の構成に対する重複説明は省略する。
【００４２】
図４を参照して説明すれば、本第２実施形態による離隔部材５０は、キャッププレート３０と平行に配置された遮断板５３と、遮断板５３の両側端に設置された支持板５１、５２を含む。支持板５１、５２は、両端が下部ガスケット２６に固定され、上端はキャッププレート３０の下面と相接する。
【００４３】
遮断板５３は多孔性素材からなり、キャッププレート３０と平行に設けられる。そのために支持板５１、５２と遮断板５３との間の空間だけでなく、遮断板５３を通じてガスが排出できる。
【００４４】
一方、遮断板５３には長さ方向の両側周縁に弧形に湾曲した回避溝５４、５６が形成され、回避溝５４、５６は、電解液注入口２７の下に遮断板５３が位置することを避け、ベント部材３９にガスが容易に移動するような役割を果たす。回避溝５４、５６が形成された部分には支持板５１、５２の間の下端が開放されているので、ガスがより容易に移動できる。また、遮断板５３がない部分にも支持板５１、５２が下部ガスケット２６まで連結されているので、支持板５１、５２が電極群１０を支持することができる。
【００４５】
本実施形態では、遮断板５３の両側に回避溝５４、５６を形成して、ガスがベント部材３９を通じて排出される距離を最少化した。
【００４６】
図５は、本発明の第３実施形態による２次電池の離隔部材６０を示した斜視図である。
【００４７】
本第３実施形態による２次電池は、離隔部材６０の構成を除いては上記第１実施形態による２次電池と同一の構成であるので、同一の構成に対する重複説明は省略する。
【００４８】
図５を参照して説明すれば、本実施形態による離隔部材６０は、長さ方向の両端に設置された下部ガスケット６５、６７と、下部ガスケット６５、６７の間に設置され、下部ガスケット６５、６７を連結する支持板６１、６２と、支持板６１、６２の下端に設置された遮断板６３とを含む。
【００４９】
遮断板６３は支持板６１、６２の下面に付着し、支持板６１、６２は二つの補助ガスケット６５、６７と一体に形成される。本実施形態のように、支持板６１、６２と補助ガスケット６５、６７とを一体に形成されると、第１実施形態のように下部ガスケット２６を別途に付着設置しなくても、離隔部材６０をキャッププレート３０に安定的に固定することができる。
【００５０】
図６は、本発明の第４実施形態による２次電池の離隔部材７０を示した斜視図である。
【００５１】
本第４実施形態による２次電池は、離隔部材７０の構成を除いては上記第１実施形態による２次電池と同一の構成であるので、同一の構成に対する重複説明は省略する。
【００５２】
図６を参照して説明すれば、本実施形態による離隔部材７０は、一側端部に一体に形成された下部ガスケット７５と、下部ガスケット７５に一体に固定された支持板７１、７２と、支持板７１、７２の下端に設置された遮断板７３とを含む。
【００５３】
本実施形態による離隔部材７０は、一側端部にのみ下部ガスケット７５が一体に形成される。一方、離隔部材７０の他側端部には、下部ガスケットが一体に形成されず、他側端部は別途に形成された下部ガスケット２６に固定される。
【００５４】
本実施形態のように、離隔部材７０の一側端部に下部ガスケット７５が一体に形成されると、第１実施形態のように下部ガスケット２６を別途に固定設置しなくても、離隔部材７０をキャップ組立体２０に安定的に固定できる。
【００５５】
図７は、本発明の第５実施形態による２次電池の離隔部材８０を示した斜視図である。
【００５６】
本第５実施形態による２次電池は、離隔部材８０の構成を除いては前記第１実施形態による２次電池と同一の構成であるので、同一の構成に対する重複説明は省略する。
【００５７】
図７を参照して説明すれば、本実施形態による離隔部材８０は、長さ方向の両側端部に下部ガスケット８５、８７に嵌合される突起８１ａ、８２ａを有する。
【００５８】
離隔部材８０の遮断板８３と、遮断板８３の両側端に設置された二つの支持板８１、８２とを含み、支持板８１、８２の長さ方向の両端に突起８１ａ、８２ａが形成される。
【００５９】
キャッププレート３０の両側周縁に設置される下部ガスケット８５、８７には、突起８１ａ、８２ａが嵌合される固定溝８５ａ、８７ａが形成され、固定溝８５ａ、８７ａは下部ガスケット８５、８７の上面両側端に形成される。このような固定溝８５ａ、８７ａは、支持板８１、８２に向かう面に開口されており、下部が閉鎖している。そのために、突起８１ａ、８２ａが固定溝８５ａ、８７ａに嵌合されれば、離隔部材８０が下部ガスケット８５、８７に対して下に移動できず、離隔部材８０を下部ガスケット８５、８７によって安定的に固定できる。
【００６０】
図８は、本発明の第６実施形態による２次電池の離隔部材９０を示した斜視図であり、図９は、本発明の第６実施形態による離隔部材９０がキャップ組立体２０に設置された状態を下から見た底面図である。
【００６１】
本第６実施形態による２次電池は、離隔部材９０の構成を除いては上記第１実施形態による２次電池と同一の構成であるので、同一の構成に対する重複説明は省略する。
【００６２】
図８及び図９を参照して説明すれば、本実施形態による離隔部材９０は、一つの棒状であり、中央部分の厚さが周縁の厚さよりさらに大きく形成される。
【００６３】
このように、離隔部材９０の中央部分の厚さが大きく形成されると、キャッププレート３０と電極群１０を離隔させて、電極群１０が上に上昇することを簡単に防止することができる。
【００６４】
離隔部材９０は、両端に位置して下部ガスケット２６に固定される支持部９１、９２と、電解液注入口２７の下に位置し、ケース３４の壁面側に曲がった電解液回避部９４と、ベント部材３９の下に位置し、ケース３４の壁面側に曲がったベント回避部９６とを含む。
【００６５】
このように、離隔部材９０が棒形状であり、屈折して形成された電解液回避部９４とベント回避部９６が離隔部材９０に形成されると、離隔部材９０が電解液の注入及びベント部材の開放によるガスの排出を妨害することを、安定的に防止することができる。
【００６６】
図１０は、本発明の第７実施形態による２次電池の離隔部材１２０を示した斜視図である。
【００６７】
本第７実施形態による２次電池は、離隔部材１２０の構成を除いては上記第１実施形態による２次電池と同一の構成であるので、同一の構成に対する重複説明は省略する。
【００６８】
図１０を参照して説明すれば、本実施形態による離隔部材１２０は、遮断板１２５と、遮断板１２５の両端に設置された支持板１２１、１２４とを含む。遮断板１２５はベント部材３９の下に位置する。支持板１２１、１２４は遮断板１２５の両端で下部ガスケット２６まで延設して下部ガスケット２６と連結され、遮断板１２５の幅方向の中央で遮断板１２５に固定される。
【００６９】
支持板１２１、１２４は、遮断板１２５に対して垂直に立てられて設置され、電解液注入口２７の下部では曲がって形成されケース３４の壁面と接する電解液回避部９４を有する。
【００７０】
このように離隔部材１２０を設置すれば、電極群１０の上昇を防止できるだけでなく、ベント部材３９が開放される時、異物がベント部材３９を通じて排出されることを安定的に防止することができる。
【００７１】
図１１は、本発明の第８実施形態による２次電池の離隔部材１３０を示した斜視図である。
【００７２】
本第８実施形態による２次電池は、離隔部材１３０の構成を除いては前記第１実施形態による２次電池と同一の構成であるので、同一の構成に対する重複説明は省略する。
【００７３】
図１１を参照して説明すれば、本実施形態による離隔部材１３０は、キャッププレート３０と平行に配置された遮断板１３５と、遮断板１３５をキャップ組立体２０に固定する支持板１３１、１３２とを含む。
【００７４】
支持板１３１、１３２は、遮断板１３５に向かって下へ曲がって、遮断板１３５をキャッププレート３０から離隔させる折り曲げ部１３１ａ、１３２ａを有する。また、支持板１３１、１３２は折り曲げ部１３１ａ、１３２ａから下部ガスケット２６に向かって延設され、下部ガスケット２６と連結されて配置される。折り曲げ部１３１ａ、１３２ａと下部ガスケット２６との間に位置する支持板１３１、１３２は、キャッププレート３０の下面に接するように配置される。支持板１３１、１３２は、電解液注入口２７の下において、電解液の注入を妨害しないように、屈折した電解液回避部１３４が形成される。
【００７５】
本実施形態のように離隔部材１３０を設置すれば、電極群１０が上昇することを安定的に防止できるだけでなく、キャッププレート３０と遮断板１３５と間の空間でガスを簡単に排出できる。
【００７６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７７】
１００    ２次電池
１０    電極群
１１    正極
１２    負極
１３    セパレータ
２０    キャップ組立体
２１    正極端子
２１ａ、２２ａ    端子フランジ
２２    負極端子
２５    上部ガスケット
２６、７５、８５、８７    下部ガスケット
２７    電解液注入口
２９    ナット
３０    キャッププレート
３４    ケース
３９    ベント部材
４０、５０、６０、７０、８０、９０。１２０、１３０    離隔部材
４１、４２、５１、５２、６１、６２、７１、７２、８１、８２、１２１、１２４、１３１、１３２    支持板
４３、５３、６３、７３、８３、１２５、１３５    遮断板
４３ａ、５４、５６    回避溝
６５、６７    補助ガスケット
８１ａ、８２ａ    突起
８５ａ、８７ａ    固定溝
９１、９２    支持部
９４、１３４    電解液回避部
９６    ベント回避部
１３１ａ、１３２ａ    折り曲げ部
【図１】
2011086604.tif 000003
【図２】
2011086604.tif 000004
【図３】
2011086604.tif 000005
【図４】
2011086604.tif 000006
【図５】
2011086604.tif 000007
【図６】
2011086604.tif 000008
【図７】
2011086604.tif 000009
【図８】
2011086604.tif 000010
【図９】
2011086604.tif 000011
【図１０】
2011086604.tif 000012
【図１１】
2011086604.tif 000013